(57)【特許請求の範囲】
【請求項１】
外箱の前方開口より出し入れ可能に収納した食料収納引き出し箱を有するとともに、内部にエチレン分解触媒を配設した食料保管庫であって、
上記食料収納引き出し箱は、両側板よりも突出した高さとなるように、背板補助板が背板の上端縁に延設され、該食料収納引き出し箱の出し入れ操作にともなって、該背板補助板を上記外箱の空間内で移動させることによって、上記食料収納引き出し箱内で発生したエチレンガスを、上記前方開口から外部に排出させる構造にしたことを特徴とする食料保管庫。
【請求項２】
請求項１において、
上記食料収納引き出し箱は、上記前方開口を覆い隠す前板と、上記背板と、上記両側板と、底板とにより囲まれ、上方を開口した食料収納部を有した構造とされ、
上記底板と上記外箱の下板との間には、上記背板補助板と上記外箱内面との間隙よりも広い間隙を有したエチレンガス下方流通路が形成されており、
上記食料収納引き出し箱を引き出したときには、上記エチレンガスを、上記食料収納部の上方を通じて外部に排出させる一方、上記食料収納引き出し箱を押し入れたときには、上記背板補助板および上記背板の後方に滞留したエチレンガスを、上記エチレンガス下方流通路を通じて排出させるようにしている食料保管庫。
【請求項３】
請求項１または２において、
上記背板補助板には、空気流通孔を形成している食料保管庫。
【発明の詳細な説明】
【技術分野】
【０００１】
本発明は、根菜類や果物などの生鮮食料品を保管する食料保管庫に関する。
【背景技術】
【０００２】
じゃがいも、さつまいも、ほうれん草、小松菜などの根菜類や、みかん、りんごなどの果物などの生鮮食料品は、湿度調整および成熟ホルモンガスや菌・カビなどの対策をとらなければ、乾燥したり、軟化、腐敗が進行したりして食材として使えなくなる。
【０００３】
そこで、本出願人は、防カビ、防臭、劣化の原因となるエチレンガスの除去および保湿などを目的とした食品収納庫を提案した（特許文献１参照）。
【０００４】
この食品収納庫は、水粒子放出部と、水粒子放出部と対向する対向電極と、水粒子放出部に水を供給するための水供給手段と、水粒子放出部と対向電極との間に高電圧を印加する電圧印加部を備え、水粒子放出部と対向電極との間に高電圧を印加することにより水粒子放出部の水からナノメートルサイズの帯電微粒子水を生成する静電霧化装置が、キッチンに設けた収納庫内のファンによる送風によって空気を循環させる空気循環ユニット内に装備され、空気循環ユニット内の空気通路にエチレンガス除去触媒が配置されたものである。
【０００５】
この種の食品収納庫では、静電霧化装置により生成された活性種を含んだナノメートルサイズの帯電微粒子水を食品に供給でき、帯電微粒子水が食品の表皮の細孔内部まで浸透して、保湿できるとともに、浸透した状態で活性種が作用して殺菌、消臭およびエチレンガスの除去ができ、食品を長期にわたって新鮮な状態に保存することができる。また、収納庫内で循環する空気からエチレンガスをエチレンガス除去触媒によって除去でき、食品のエチレンガスによる劣化をよりいっそう防止できる。
【特許文献１】特開２００６−６１０７２号公報
【発明の開示】
【発明が解決しようとする課題】
【０００６】
しかしながら、上記文献記載の食品収納庫は、上記のように、多くの電子部品などをキッチン設備に組み込む必要があり、構成が複雑なものとなっており、そのためキッチン内では、限られた場所にしか設置できず、既存のキッチン設備への組み込みがきわめて困難なものとなっている。また、構成の複雑性から低コストで製造することもできない。
【０００７】
本発明は、このような事情を考慮して提案されたもので、その目的は、電子部品の組み込みを必要とせず、かつ既存のキッチン設備を利用できる簡易な構成で、エチレンガスの除去を好適に行える食料保管庫を提供することにある。また、内装したエチレン分解触媒によって分解しきれない残余エチレンガスを除去できる食料保管庫を提供することも、本発明の主要な目的としている。
【課題を解決するための手段】
【０００８】
上記目的を達成するために、請求項１に記載の食料保管庫は、外箱の前方開口より出し入れ可能に収納した食料収納引き出し箱を有するとともに、内部にエチレン分解触媒を配設した食料保管庫であって、食料収納引き出し箱は、両側板よりも突出した高さとなるように、背板補助板が背板の上端縁に延設され、食料収納引き出し箱の出し入れ操作にともなって、背板補助板を外箱の空間内で移動させることによって、食料収納引き出し箱内で発生したエチレンガスを、前方開口から排出させる構造にしたことを特徴とする。
【０００９】
請求項２に記載の食料保管庫は、食料収納引き出し箱は、前方開口を覆い隠す前板と、背板と、両側板と、底板とにより囲まれ、上方を開口した食料収納部を有した構造とされ、底板と外箱の下板との間には、背板補助板と外箱内面との間隙よりも広い間隙を有したエチレンガス下方流通路が形成されており、食料収納引き出し箱を引き出したときには、エチレンガスを、食料収納部の上方を通じて外部に排出させる一方、食料収納引き出し箱を押し入れたときには、背板補助板および背板の後方に滞留したエチレンガスを、エチレンガス下方流通路を通じて外部に排出させるようにしている。
【００１０】
請求項３に記載の食料保管庫は、背板補助板に空気流通孔を形成している。
【発明の効果】
【００１１】
請求項１に記載の食料保管庫によれば、食料収納引き出し箱の出し入れ操作によって背板補助板を移動させてエチレンガスを排出させる構造であるため、出し入れ操作のつど、食料保管庫内のエチレン分解触媒で分解しきれない残余エチレンガスを大気に排出して、除去できる。また、両側板は背板補助板よりも低く形成されているので、食料収納引き出し箱を引き出したときに、エチレンガスを前方開口の両側からも効率よく排出できる。
【００１２】
また、本食料保管庫は、エチレン分解触媒を内装し、背板補助板を食料収納引き出し箱に設けた簡易な構造であり、かつ電子部品などを使用しない構成であるため、カップボード、キッチンキャビネット、パントリーなどに容易に組み込むことができ、低コスト化が図れる。
【００１３】
請求項２に記載の食料保管庫によれば、食料収納引き出し箱を引き出したときにエチレンガスを食料収納部の上方を通じて排出させ、食料収納引き出し箱を押し入れたときには、背板補助板の後方に滞留したエチレンガスを底板と外箱の下板との間に形成されたエチレンガス下方流通路を通じて排出させる構造であるため、出し入れ操作のつど、好適な残余エチレンガスの排出ができる。
【００１４】
特に、食料収納引き出し箱の押し入れ操作時にもエチレンガスを排出する構造であるため、食料収納引き出し箱の引き出し操作によって一部のエチレンガスが後方に移動して排出できなかったとしても、その後の押し入れ操作によってエチレンガスを下方より排出でき、そのため、出し入れ操作の後にエチレンガスが残留する可能性はきわめて低い。
【００１５】
請求項３に記載の食料保管庫によれば、背板補助板には空気流通孔が形成されているため、出し入れ操作時の背板補助板による抵抗を少なくすることができ、さらに、食料収納引き出し箱の引き出し操作によりエチレンガス前方滞留空間とエチレンガス後方滞留空間との間で圧力差が生じることを防止することで、エチレンガス後方滞留空間の負圧化によるエチレンガスの後方引き込みが抑止でき、その結果、引き出し操作だけで多くの残余エチレンガスを排出させることができる。
【発明を実施するための最良の形態】
【００１６】
以下に、本発明の実施の形態について、添付図面を参照しながら説明する。
【００１７】
図１、２は、本発明の食料保管庫の一例を示した概略縦断面図であり、図１は食料収納引き出し箱を開いているときの図、図２は閉じているときの図である。図３は、同食料保管庫の食料収納引き出し箱を開いているときの概略外観斜視図である。
【００１８】
図１〜３に示した食料保管庫１は、前方開口１２を有し、内部に空間部１１を備えた直方体または立方体形状の外箱２と、この外箱２の前方開口１２より出し入れ可能に収納される食料収納引き出し箱３とを備えている。
【００１９】
外箱２は、上板２１と下板２４が対向配置され、上板２１の後端下面と下板２４の後端上面との間に背板２３が配設されるとともに、上板２１の両側端下面と下板２４の両側端上面との間に側板２２が配設され、箱形状に形成されており、その内部に空間部１１を形成するようにして食料収納引き出し箱３を収納している。この外箱２は、下方の台座８上に固着して載置される。
【００２０】
また、外箱２の上板２１の内面には調湿材５が配設され、その調湿材５の下面には、空間部１１に接するように、エチレン分解触媒４が配設されている。なお図３では、外箱２内方の調湿材５、エチレン分解触媒４、生鮮食料品Ｖなどの図示は省略している。
【００２１】
調湿材５は、たとえば珪藻土または珪藻土を含む材料などから形成されたものであり、空間部１１の湿度が上昇すると吸湿して湿度の上昇を抑制し、乾燥時には吸湿した水分を空間部１１内に放出して湿度を上昇させ、空間部１１内の湿度の変動を極力小さく抑えるように湿度調整を行う。
【００２２】
外箱２内の空間部１１を好適に湿度調整するためには、外箱２の内面の総面積の１／３以上の内面に調湿材５を配設することが望ましいが、食料保管庫１を設置する周辺環境などを考慮して、適宜調整すればよい。
【００２３】
エチレン分解触媒４は、たとえば活性炭やゼオライトなどの多孔質体にエチレン酸化酵素であるエチレンモノオキシナーゼなどを吸着させたものやパラジウム触媒、光触媒などから適宜選択して使用できる。エチレンガスは、空気よりわずかに軽いため、エチレン分解触媒４は外箱２内の空間部１１の上部に配設している。
【００２４】
一方、食料収納引き出し箱３は、外箱２の前端外周部の形状に一致して、前方視で前方開口１２を覆い隠す前板３１と、前板３１に対向し、外箱２上板２１よりもやや低い高さの背板３３と、前板３１および背板３３を各々の両側端部において連結した両側板３２と、前板３１の下端よりも少し高い位置の下端部ならびに背板３３および両側板３２の下端に連結した底板３４とより構成される。これら前板３１、背板３３、両側板３２および底板３４により囲まれ、上方を開口した空間を、根菜類や果物などの生鮮食料品Ｖを収納する食料収納部１０としている。
【００２５】
さらに、背板３３には背板補助板６が上方に延設されている。本図例では、背板３３を両側板３２よりも高く形成しているが、同一または低く形成した場合であっても、背板補助板６を背板３３の上端縁に延設させることによって、背板３３側が両側板３２よりも突出されるような構造とし、さらに本図例のように、背板補助板６の上端がエチレン分解触媒４の下面よりもやや低い位置として、高さ方向のわずかな間隙Ｓを有した構造とすることが望ましい。また、背板補助板６は背板３３と一体成形されてもよい。なお、背板補助板６は孔などの開口のないものでも、図６に示すような空気流通孔６ａを有したものでもよい。
【００２６】
食料収納引き出し箱３の両側板３２には、スライド機構となるレールなどによる走行ガイド７（図３では不図示）が設けられ、出し入れをスムーズにできるようにしている。
【００２７】
この食料保管庫１は、食料を出し入れしないときは図２に示すような閉状態を保持し、その状態では保存中の食料から発生したエチレンガスは、空間部１１内（エチレンガス滞留空間１４）に滞留する。またエチレンガスは、食料収納部１０よりも直上方で外箱２の外方に開放される空間であるエチレンガス前方滞留空間１４ａには特に滞留しやすいが、食料収納引き出し箱３と外箱２との隙間や、背板補助板６の周囲の外箱２との間に形成された間隙や、後述する背板補助板６に開設した空気流通孔６ａ（図６参照）などを通じて、空間部１１の内奥空間であるエチレンガス後方滞留空間１４ｂにも移動し、滞留する。なお、エチレンガスは空気より軽いため、エチレンガスはおもにエチレンガス滞留空間１４の上部に滞留する。
【００２８】
また、図１、２中、１５は食料収納引き出し箱３を閉じたときに食料収納部１０の上方に位置するエチレンガス上方流通路、１６は底板３４と外箱２の下板２４との間のエチレンガス下方流通路である。
【００２９】
この食料保管庫１は、食料を出し入れしない閉状態にあるときは、保存中の食料から発生したエチレンガスを、空間部１１に接するように設けたエチレン分解触媒４によって分解、除去できるようにしているが、エチレン分解触媒４によっても除去しきれない残余エチレンガスは、食料収納引き出し箱３の出し入れ操作にともなう、背板補助板６の移動によって、前方開口１２から外部の大気中に排出させるようにしている。
【００３０】
ついで、食料収納引き出し箱３の出し入れ操作によるエチレンガスの排出動作について説明する。
【００３１】
図４は、食料保管庫１の食料収納引き出し箱３の引き出し操作中におけるガス排出の流れを示した概略縦断面図、図５は、食料保管庫１の食料収納引き出し箱３の押し入れ操作中におけるガス排出の流れを示した概略縦断面図である。
【００３２】
図４に示すように、食料収納引き出し箱３を白抜き矢印方向に引き出すと、エチレンガス前方滞留空間１４ａに滞留しているエチレンガスは、引き出し操作にともなう背板補助板６の前方への移動によって前方に押しやられ、エチレンガス上方流通路１５を通って前方開口１２の上部開口１２ａより排出される。
【００３３】
このときのエチレンガスは、おもに図４中のＦ１のごとく排出されるが、背板補助板６が食料収納引き出し箱３の背板３３側のみに設けられ、両側板３２は背板補助板６よりも低い高さとなっているため、エチレンガスは引き出したときの前方開口１２の両側の開放空間からも十分に排出される。
【００３４】
この引き出し操作時には、背板補助板６で分離されるエチレンガス前方滞留空間１４ａと、エチレンガス後方滞留空間１４ｂとの間では圧力差が生じ、一部の空気や一部のエチレンガスは種々の隙間を通じて、負圧となったエチレンガス後方滞留空間１４ｂに移動する。
【００３５】
また図５に示すように、食料収納引き出し箱３を白抜き矢印方向に押し入れると、エチレンガス後方滞留空間１４ｂに滞留しているエチレンガスは、押し入れ操作にともなう、背板補助板６の後方への移動によって、空間部１１の奥側に押しやられ、移動したエチレンガスは、さらに前板３１を押し入れることで、後方空間が狭くなるため下方にも流れ、食料収納引き出し箱３の下側のエチレンガス下方流通路１６を通って前方開口１２の下部開口１２ｂより排出される。なお図５中のＦ２は、エチレンガスの排出流れを示している。
【００３６】
このエチレンガス下方流通路１６は、背板補助板６と外箱２内面との間に形成される間隙（たとえば高さ方向の間隙Ｓ）よりも広く（高く）形成され、空気よりも軽いエチレンガスを下方に誘導できるように形成されている。また、エチレンガスを下方より排出させるために、背板補助板を奥に傾斜させて立設させてもよい。また、押し入れ操作されたときには、エチレンガスは空気よりも軽いため、背板補助板６の後方のエチレンガスの一部は、背板補助板６と外箱２内面との間の間隙を通って、前方開口１２の上部開口１２ａから排出される（排出流れについては不図示）。
【００３７】
以上のように、この食料保管庫１によれば、食料収納引き出し箱３の出し入れ操作によって背板補助板６を移動させてエチレンガスを前方開口１２の上部と下部より排出させる構造であるため、出し入れ操作のつど、食料保管庫１内のエチレン分解触媒４で分解しきれない残余エチレンガスを排出、除去できる。
【００３８】
また、食料収納引き出し箱３の引き出し操作によって一部のエチレンガスが後方に移動して排出できなかったとしても、その後の押し入れ操作によってエチレンガスをエチレンガス下方流通路１６を通過させて排出できるので、出し入れ操作の後にエチレンガスが残留する可能性はきわめて低い。
【００３９】
図６は、背板補助板６の他例を示す正面図である。
【００４０】
同背板補助板６には、多数の空気流通孔６ａが形成されている。これらの空気流通孔６ａは、出し入れ操作時の背板補助板６による抵抗を少なくするためのものであり、さらに、食料収納引き出し箱３の引き出し操作によりエチレンガス前方滞留空間１４ａとエチレンガス後方滞留空間１４ｂとの間で圧力差が生じることを防止することで、エチレンガス後方滞留空間１４ｂの負圧化によるエチレンガスの後方引き込みが抑止でき、その結果、引き出し操作だけで多くの残余エチレンガスを排出させることができる。
【００４１】
以上のように、エチレン分解触媒４による分解作用と、食料収納引き出し箱３の出し入れ操作による背板補助板６の移動とによって、成熟ホルモンであるエチレンガスをほとんど残余させることなく好適に除去でき、そのため、根菜類や果物などの生鮮食料品の成熟を抑制でき、調湿剤５による湿度調整効果とも相俟って、生鮮食料品の鮮度保持期間を延ばすことができる。
【００４２】
特に、この食料保管庫１は、エチレン分解触媒４を内装し、背板補助板６を設けたきわめて簡易な構造であり、電子部品などを使用しないため、カップボード、キッチンキャビネット、パントリーなどのキッチン設備に容易に組み込むことができ、低コスト化が図れる。
【図面の簡単な説明】
【００４３】
【図１】本発明の食料保管庫の一例を示した開状態の概略縦断面図である。
【図２】同食料保管庫の閉状態の概略縦断面図である。
【図３】同食料保管庫の開状態の概略外観斜視図である。
【図４】同食料保管庫の食料収納引き出し箱の引き出し操作中におけるガス排出の流れを示した概略縦断面図である。
【図５】同食料保管庫の食料収納引き出し箱の押し入れ操作中におけるガス排出の流れを示した概略縦断面図である。
【図６】同食料保管庫に使用される、背板補助板の正面図である。
【符号の説明】
【００４４】
１      食料保管庫
２      外箱
２１      上板
２２      側板
２３      背板
２４      下板
３      食料収納引き出し箱
３１      前板
３２      側板
３３      背板
３４      底板
４      エチレン分解触媒
５      調湿材
６      背板補助板
６ａ      空気流通孔
１０      食料収納部
１１      空間部
１２      前方開口
１２ａ      上部開口
１２ｂ      下部開口
１４      エチレンガス滞留空間
１４ａ      エチレンガス前方滞留空間
１４ｂ      エチレンガス後方滞留空間
１５      エチレンガス上方流通路
１６      エチレンガス下方流通路
【図１】
0004650465.tif 000002
【図２】
0004650465.tif 000003
【図３】
0004650465.tif 000004
【図４】
0004650465.tif 000005
【図５】
0004650465.tif 000006
【図６】
0004650465.tif 000007